(57)【要約】【課題】ラジオ放送で聴いた曲を即座に得ることができるようにする。【解決手段】放送局１からは、通常のプログラムにしたがって種々のラジオ番組が放送される。ユーザ側において、放送局１からの番組データは、受信装置３で受信されて出力される。これにより、ユーザは、番組を聴いて、その番組に用いられている曲を所望するとき、受信装置３を、その曲を要求するように操作する。すると、受信装置３において、広域ネットワーク４を介して、ユーザが所望した曲を要求する旨（リクエスト情報）が送信される。放送局１では、番組に用いられる曲（オーディオデータ）が管理されており、受信装置３からリクエスト情報を受信すると、そのリクエスト情報に対応するオーディオデータが、広域ネットワーク４を介して受信装置３に送信され、受信装置３では、これが受信されて記録される。【選択図】図１
2006197627.tif 000002
【特許請求の範囲】
【請求項１】
放送局から放送に利用される伝送路を介して送信される番組のデータである番組データを受信する受信装置であって、
前記放送局から送信される前記番組データを受信する番組データ受信手段と、
前記番組データ受信手段により受信された前記番組データを出力する出力手段と、
前記番組で用いられた映像や曲としてのビデオデータまたはオーディオデータである関連データを要求するときに操作される操作手段と、
前記操作手段が操作されることにより要求された前記関連データを識別するための識別情報とともに、所定の端末を特定するための特定情報を、送信装置に送信する識別情報送信手段と
を備える受信装置。
【請求項２】
前記番組データ受信手段は、前記放送局から前記番組データとともに送信される、前記関連データを識別するための識別情報をさらに受信する
請求項１に記載の受信装置。
【請求項３】
前記識別情報送信手段は、前記識別情報にアクセス先が含まれているとき、前記関連データを要求するリクエスト情報を当該アクセス先に対応する前記送信装置に送信する
請求項２に記載の受信装置。
【請求項４】
前記識別情報送信手段は、前記操作手段が操作されたときの操作時刻を、前記関連データを識別するための識別情報として送信装置に送信する
請求項１に記載の受信装置。
【請求項５】
放送局から放送に利用される伝送路を介して送信される番組のデータである番組データを受信する受信装置の受信方法であって、
前記放送局から送信される前記番組データを受信する番組データ受信ステップと、
前記番組データ受信ステップの処理で受信された前記番組データを出力する出力ステップと、
前記番組で用いられた映像や曲としてのビデオデータまたはオーディオデータである関連データを要求する操作がなされることにより要求された前記関連データを識別するための識別情報とともに、所定の端末を特定するための特定情報を、送信装置に送信する識別情報送信ステップと
を含む受信方法。
【請求項６】
放送局から放送に利用される伝送路を介して受信装置に送信される番組のデータである番組データに関連する情報を前記受信装置に送信する送信装置であって、
前記番組で用いられる映像や曲としてのビデオデータまたはオーディオデータである関連データを記憶している記憶手段と、
前記受信装置から送信されてくる前記関連データを識別するための識別情報、及び所定の端末を特定するための特定情報を受信する識別情報受信手段と、
前記識別情報に対応する関連データを、前記記憶手段から検索する検索手段と、
前記検索手段により検索された前記関連データを、前記特定情報により特定される前記端末に送信する関連データ送信手段と
を備える送信装置。
【請求項７】
前記記憶手段は、前記関連データを、その関連データに対応する前記番組データが送信される送信時刻と関係付けて記憶し、
前記識別情報受信手段は、前記受信装置から送信されてくる時刻情報を含む識別情報を受信し、
前記検索手段は、前記時刻情報に対応する前記送信時刻に関連付けられている前記関連データを、前記記憶手段から検索する
請求項６に記載の送信装置。
【請求項８】
前記記憶手段は、前記関連データを、前記識別情報としてのＵＲＬと対応付けて記憶している
請求項６に記載の送信装置。
【請求項９】
放送局から放送に利用される伝送路を介して受信装置に送信される番組のデータである番組データに関連する情報を前記受信装置に送信する送信装置の送信方法であって、
前記受信装置から送信されてくる、前記番組で用いられる映像や曲としてのビデオデータまたはオーディオデータである関連データを識別するための識別情報、及び所定の端末を特定するための特定情報を受信する識別情報受信ステップと、
前記識別情報に対応する関連データを、前記関連データを記憶する記憶手段から検索する検索ステップと、
前記検索ステップの処理で検索された前記関連データを、前記特定情報により特定される前記端末に送信する関連データ送信ステップと
を含む送信方法。
【請求項１０】
送信装置および受信装置からなる送受信装置において、
前記受信装置は、
放送局から放送に利用される伝送路を介して送信される番組のデータである番組データを受信する番組データ受信手段と、
前記番組データ受信手段により受信された前記番組データを出力する出力手段と、
前記番組で用いられた映像や曲としてのビデオデータまたはオーディオデータである関連データを要求するときに操作される操作手段と、
前記操作手段が操作されることにより要求された前記関連データを識別するための識別情報とともに、所定の端末を特定するための特定情報を、送信装置に送信する識別情報送信手段と
を備え、
前記送信装置は、
前記番組で用いられる映像や曲としてのビデオデータまたはオーディオデータである関連データを記憶している記憶手段と、
前記受信装置から送信されてくる前記関連データを識別するための識別情報、及び所定の端末を特定するための前記特定情報を受信する識別情報受信手段と、
前記識別情報に対応する関連データを、前記記憶手段から検索する検索手段と、
前記検索手段により検索された前記関連データを、前記特定情報により特定される前記端末に送信する関連データ送信手段と
を備える送受信装置。
【請求項１１】
送信装置および受信装置からなる送受信装置の送受信方法において、
前記受信装置が、
放送局から放送に利用される伝送路を介して送信される番組のデータである番組データを受信し、
受信された前記番組データを出力し、
前記番組で用いられた映像や曲としてのビデオデータまたはオーディオデータである関連データを要求する操作がなされることにより要求された前記関連データを識別するための識別情報とともに、所定の端末を特定するための特定情報を、送信装置に送信し、
前記送信装置が、
前記受信装置から送信されてくる、前記番組で用いられる映像や曲としてのビデオデータまたはオーディオデータである関連データを識別するための識別情報、及び所定の端末を特定するための特定情報を受信し、
前記識別情報に対応する関連データを、前記関連データを記憶する記憶手段から検索し、
検索された前記関連データを、前記特定情報により特定される前記端末に送信する
送受信方法。
【発明の詳細な説明】
【技術分野】
【０００１】
本発明は、送受信装置および送受信方法、受信装置および受信方法、並びに送信装置および送信方法に関する。特に、例えば、ラジオ放送やテレビジョン放送などで放送された番組としての曲であるオーディオデータや、映画などであるビデオデータなどを、容易に得ることができるようにする送受信装置および送受信方法、受信装置および受信方法、並びに送信装置および送信方法に関する。
【背景技術】
【０００２】
例えば、ラジオ放送などにおいて放送されている番組は、ラジオ受信機によって受信することができる。
【発明の開示】
【発明が解決しようとする課題】
【０００３】
ところで、ラジオ放送においては、番組が歌番組であれば、その番組として曲が放送（送信）され、また、番組が歌番組以外であっても、ＢＧＭ（Back Ground Music）として曲が放送されたり、コマーシャルとして、その中で使用されて
いる曲が放送されたりする場合がある。ここで、このような曲は、アナウンサの音声、その他のオーディオ信号とともに、番組の一部を構成し、番組に関連するということができるので、関連データということができる。
【０００４】
そして、ラジオ放送によって曲が放送された場合において、ユーザが、その曲をラジオ受信機によって聴き、その曲を気に入ってほしくなるときがある。この場合、例えば、ラジオ受信機で受信された曲を録音する方法がある。
【０００５】
しかしながら、ラジオ放送で放送される曲を、その曲の最初から録音するためには、例えば、新聞の番組欄などを見て、あらかじめ曲が放送される日時を調べておく必要があり、面倒であった。
【０００６】
また、日常生活において、ラジオ放送で放送された曲を聴いて、その曲を気に入った場合、その時点から録音を開始したのでは、曲を、その最初から録音することはできない。
【０００７】
そこで、ラジオ放送で放送された曲を気に入った場合には、その曲が録音されたＣＤ（コンパクトディスク）などの記録媒体を販売店に購入しにいく方法があるが、これでは、販売店まで行かねばならず、面倒であった。さらに、販売店まで行っても、その曲の曲名や、歌っている歌手の歌手名が分からない場合は、その曲が録音されたＣＤを購入するのは困難であった。
【０００８】
本発明は、このような状況に鑑みてなされたものであり、例えば、ラジオ放送で放送された番組において用いられている曲などの、その番組に関連する関連データを、容易に得ることができるようにするものである。
【課題を解決するための手段】
【０００９】
本発明の第１の側面の受信装置は、放送局から放送に利用される伝送路を介して送信される番組のデータである番組データを受信する受信装置であって、前記放送局から送信される前記番組データを受信する番組データ受信手段と、前記番組データ受信手段により受信された前記番組データを出力する出力手段と、前記番組で用いられた映像や曲としてのビデオデータまたはオーディオデータである関連データを要求するときに操作される操作手段と、前記操作手段が操作されることにより要求された前記関連データを識別するための識別情報とともに、所定の端末を特定するための特定情報を、送信装置に送信する識別情報送信手段とを備える。
【００１０】
前記番組データ受信手段は、前記放送局から前記番組データとともに送信される、前記関連データを識別するための識別情報を受信することができる。
【００１１】
前記識別情報送信手段は、前記識別情報にアクセス先が含まれているとき、前記関連データを要求するリクエスト情報を当該アクセス先に対応する前記送信装置に送信することができる。
【００１２】
前記識別情報送信手段は、前記操作手段が操作されたときの操作時刻を、前記関連データを識別するための識別情報として送信装置に送信することができる。
【００１３】
本発明の第１の側面の受信方法は、放送局から放送に利用される伝送路を介して送信される番組のデータである番組データを受信する受信装置の受信方法であって、前記放送局から送信される前記番組データを受信する番組データ受信ステップと、前記番組データ受信ステップの処理で受信された前記番組データを出力する出力ステップと、前記番組で用いられた映像や曲としてのビデオデータまたはオーディオデータである関連データを要求する操作がなされることにより要求された前記関連データを識別するための識別情報とともに、所定の端末を特定するための特定情報を、送信装置に送信する識別情報送信ステップとを含む。
【００１４】
本発明の第１の側面の受信装置または受信方法においては、放送局から送信される番組データが受信され、受信された前記番組データが出力され、番組で用いられた映像や曲としてのビデオデータまたはオーディオデータである関連データを要求する操作がなされることにより要求された前記関連データを識別するための識別情報とともに、所定の端末を特定するための特定情報が、送信装置に送信される
【００１５】
本発明の第２の側面の送信装置は、放送局から放送に利用される伝送路を介して受信装置に送信される番組のデータである番組データに関連する情報を前記受信装置に送信する送信装置であって、前記番組で用いられる映像や曲としてのビデオデータまたはオーディオデータである関連データを記憶している記憶手段と、前記受信装置から送信されてくる前記関連データを識別するための識別情報、及び所定の端末を特定するための特定情報を受信する識別情報受信手段と、前記識別情報に対応する関連データを、前記記憶手段から検索する検索手段と、前記検索手段により検索された前記関連データを、前記特定情報により特定される前記端末に送信する関連データ送信手段とを備える。
【００１６】
前記記憶手段は、前記関連データを、その関連データに対応する前記番組データが送信される送信時刻と関係付けて記憶し、前記識別情報受信手段は、前記受信装置から送信されてくる時刻情報を含む識別情報を受信し、前記検索手段は、前記時刻情報に対応する前記送信時刻に関連付けられている前記関連データを、前記記憶手段から検索することができる。
【００１７】
前記記憶手段は、前記関連データを、前記識別情報としてのＵＲＬと対応付けて記憶しているようにすることができる。
【００１８】
本発明の第２の側面の送信方法は、放送局から放送に利用される伝送路を介して受信装置に送信される番組のデータである番組データに関連する情報を前記受信装置に送信する送信装置の送信方法であって、前記受信装置から送信されてくる、前記番組で用いられる映像や曲としてのビデオデータまたはオーディオデータである関連データを識別するための識別情報、及び所定の端末を特定するための特定情報を受信する識別情報受信ステップと、前記識別情報に対応する関連データを、前記関連データを記憶する記憶手段から検索する検索ステップと、前記検索ステップの処理で検索された前記関連データを、前記特定情報により特定される前記端末に送信する関連データ送信ステップとを含む。
【００１９】
本発明の第２の側面の送信装置または送信方法においては、受信装置から送信されてくる、番組で用いられる映像や曲としてのビデオデータまたはオーディオデータである関連データを識別するための識別情報、及び所定の端末を特定するための特定情報が受信され、前記識別情報に対応する関連データが、前記関連データを記憶する記憶手段から検索され、検索された前記関連データが、前記特定情報により特定される前記端末に送信される。
【００２０】
本発明の第３の側面の送受信装置は、送信装置および受信装置からなる送受信装置において、前記受信装置は、放送局から放送に利用される伝送路を介して送信される番組のデータである番組データを受信する番組データ受信手段と、前記番組データ受信手段により受信された前記番組データを出力する出力手段と、前記番組で用いられた映像や曲としてのビデオデータまたはオーディオデータである関連データを要求するときに操作される操作手段と、前記操作手段が操作されることにより要求された前記関連データを識別するための識別情報とともに、所定の端末を特定するための特定情報を、送信装置に送信する識別情報送信手段とを備え、前記送信装置は、前記番組で用いられる映像や曲としてのビデオデータまたはオーディオデータである関連データを記憶している記憶手段と、前記受信装置から送信されてくる前記関連データを識別するための識別情報、及び所定の端末を特定するための前記特定情報を受信する識別情報受信手段と、前記識別情報に対応する関連データを、前記記憶手段から検索する検索手段と、前記検索手段により検索された前記関連データを、前記特定情報により特定される前記端末に送信する関連データ送信手段とを備える。
【００２１】
本発明の第３の送受信方法は、送信装置および受信装置からなる送受信装置の送受信方法において、前記受信装置が、放送局から放送に利用される伝送路を介して送信される番組のデータである番組データを受信し、受信された前記番組データを出力し、前記番組で用いられた映像や曲としてのビデオデータまたはオーディオデータである関連データを要求する操作がなされることにより要求された前記関連データを識別するための識別情報とともに、所定の端末を特定するための特定情報を、送信装置に送信し、前記送信装置が、前記受信装置から送信されてくる、前記番組で用いられる映像や曲としてのビデオデータまたはオーディオデータである関連データを識別するための識別情報、及び所定の端末を特定するための特定情報を受信し、前記識別情報に対応する関連データを、前記関連データを記憶する記憶手段から検索し、検索された前記関連データを、前記特定情報により特定される前記端末に送信する。
【００２２】
本発明の第３の送受信装置または送受信方法においては、受信装置で、放送局から放送に利用される伝送路を介して送信される番組のデータである番組データを受信され、受信された前記番組データが出力され、番組で用いられた映像や曲としてのビデオデータまたはオーディオデータである関連データを要求する操作がなされることにより要求された前記関連データを識別するための識別情報とともに、所定の端末を特定するための特定情報が、送信装置に送信され、前記送信装置で、前記受信装置から送信されてくる、前記番組で用いられる映像や曲としてのビデオデータまたはオーディオデータである関連データを識別するための識別情報、及び所定の端末を特定するための特定情報が受信され、前記識別情報に対応する関連データが、前記関連データを記憶する記憶手段から検索され、検索された前記関連データが、前記特定情報により特定される前記端末に送信される。
【発明の効果】
【００２３】
本発明の第１の側面によれば、識別情報に対応する関連データを、容易に得ることが可能となる。
【００２４】
本発明の第２の側面によれば、識別情報に対応する関連データを、容易に提供することが可能となる。
【００２５】
本発明の第３の側面によれば、識別情報に対応する関連データを、容易に提供することが可能となるとともに、識別情報に対応する関連データを、容易に得ることが可能となる。
【発明を実施するための最良の形態】
【００２６】
図１は、本発明を適用したオーディオ提供システムの第１の実施の形態の構成を示している。このオーディオ提供システムにおいては、例えば、ＦＭ（Frequency Modulation）ラジオ放送局などの放送局１によって放送された曲を、ユーザ
が即座に（リアルタイムで）得ることができるようになされている。
【００２７】
即ち、放送局１からは、通常のプログラムにしたがって種々の番組が放送される。この番組のデータである番組データは、例えば、地上回線や、衛星回線などの、通常、放送に利用される伝送路２を介して、各ユーザに送信される。
【００２８】
ユーザ（受信者）側において、放送局１からの番組データは、受信装置３で受信される。受信装置３では、放送局１からの番組データが出力され、これにより、ユーザは、その番組を聴くことができる。
【００２９】
そして、ユーザは、番組を聴いて、その番組に用いられている関連データとしての曲を所望するとき、受信装置３を、その曲を要求するように操作する。すると、受信装置３においては、例えば、インターネット、ＩＳＤＮ網やＰＳＴＮ網などの公衆網、あるいはＣＡＴＶ網などの広域ネットワーク４を介して、放送局１との通信リンクが確立され、ユーザが所望した曲を要求する旨（以下、適宜、リクエスト情報という）が送信される。放送局１においては、番組に用いられる曲としての、例えば、ディジタルのオーディオデータ（関連データ）が管理されており、受信装置３からリクエスト情報を受信すると、そのリクエスト情報に対応する曲としてのオーディオデータを、広域ネットワーク４を介して受信装置３に送信する。
【００３０】
受信装置３では、放送局１から広域ネットワーク４を介して送信されてくるオーディオデータが受信されて記録される。
【００３１】
従って、ユーザは、番組を聴いて、その番組に用いられている曲が気に入ったとき、受信装置３を所定操作するだけで、その曲を、容易かつ即座に入手することができる。
【００３２】
図２は、図１の放送局１の構成例を示している。
【００３３】
この放送局１においては、例えば、ＦＭ多重放送により、通常のＦＭ放送とともに文字放送も行われるようになされている。
【００３４】
即ち、ＦＭ多重変調部１１（番組データ送信手段）には、ＦＭ放送による番組として放送するオーディオ放送信号と、文字放送による番組としての文字情報とが入力されるようになされており、ＦＭ多重変調部１１は、オーディオ放送信号に文字情報を多重化し、ＦＭ変調して出力するようになされている。
【００３５】
ここで、図３は、オーディオ放送信号と文字情報とを多重化した多重化信号を示している。オーディオ放送信号は、ＬチャンネルおよびＲチャンネルの信号からなり、１９ｋＨｚ付近に配置されたパイロット信号の低域側または高域側に、信号Ｌ＋ＲまたはＬ−Ｒがそれぞれ配置されている。そして、信号Ｌ−Ｒの高域側（図３では、７６ｋＨｚ付近）に、文字情報が配置されている。
【００３６】
通信部１２（識別情報受信手段）（関連データ送信手段）（情報受信手段）は、サーバ１３と広域ネットワーク４との間の通信制御を行うようになされている。サーバ１３は、ＣＰＵ１４、メモリ１５、およびハードディスクなどでなる記録媒体１６から構成され、ＦＭ放送として放送される番組に用いられる曲としてのオーディオデータ（関連データ）を管理している。即ち、ＣＰＵ１４（検索手段）は、記録媒体１６からのデータの読み出しの管理、その他の必要な処理を行うようになされている。メモリ１５は、ＣＰＵ１４の動作上必要なデータを記憶するようになされている。記録媒体（記憶媒体）１６（記憶手段）には、ＦＭ放送として放送される番組に用いられる曲としてのオーディオデータが、それを識別するための識別情報と関係付けられて記録（記憶）されている。
【００３７】
以上のように構成される放送局１においては、ＦＭ多重変調部１１に、ＦＭ放送による番組として放送するオーディオ放送信号が入力される。さらに、ＦＭ多重変調部１１には、オーディオ放送信号が曲である場合、その曲を識別するための識別情報（例えば、曲に対して、あらかじめ割り当てられた所定のコードなど）が、文字情報として入力される。なお、オーディオ放送信号に曲が含まれていない場合、即ち、例えば、ディスクジョッキーの音声などである場合には、識別情報ではなく、通常の文字放送として放送すべき情報が、文字情報として入力される。
【００３８】
ＦＭ多重変調部１１では、オーディオ放送信号に文字情報としての識別情報が多重化されてＦＭ変調され、多重化信号として出力される。この多重化信号は、例えば、電波として、伝送路２を介して送信される。
【００３９】
一方、通信部１２は、受信装置３から、広域ネットワーク４を介してアクセスがあると、受信装置３との通信リンクを確立し、受信装置３とサーバ１３との間の通信制御を開始する。また、サーバ１３は、通信部１２において受信装置３との通信リンクが確立されると、図４のフローチャートにしたがった処理を行う。      
【００４０】
即ち、まず最初に、ステップＳ１において、受信装置３からのリクエスト情報を受信したかどうかが、ＣＰＵ１４によって判定される。ステップＳ１において、リクエスト情報を受信していないと判定された場合、ステップＳ１に戻る。また、ステップＳ１において、リクエスト情報を受信したと判定された場合、ステップＳ２に進み、ＣＰＵ１４は、そのリクエスト情報に対応するオーディオデータを、記録媒体１６から検索する。即ち、リクエスト情報には、後述するように、識別情報が含まれており、ＣＰＵ１４は、その識別情報と関係付けられているオーディオデータを記録媒体１６から読み出す。
【００４１】
そして、ＣＰＵ１４は、ステップＳ３において、記録媒体１６から読み出したオーディオデータを、通信部１２に転送して送信させ、処理を終了する。即ち、これにより、通信部１２は、ＣＰＵ１４から転送されたオーディオデータを、広域ネットワーク４を介して、リクエスト情報を送信してきた受信装置３に送信し、その送信の終了後、受信装置３との間の回線を切断する。
【００４２】
次に、図５は、図１の受信装置３の構成例を示している。
【００４３】
同図に示すように、受信装置３は、チューナ部３１および情報処理部３２から構成される。
【００４４】
チューナ部３１は、復調／分離部２１、信号処理部２２、および出力部２３から構成される。
【００４５】
復調／分離部２１（番組データ受信手段）は、放送局１から送信されてくる電波を受信し、その受信信号のうちの所定のチャンネルの多重化信号を復調するようになされている。さらに、復調／分離部２１は、復調信号から、オーディオ放送信号と文字情報とを分離し、信号処理部２２に出力するようにもなされている。なお、文字情報は、信号処理部２２の他、情報処理部３２のＩ／Ｆ部２４にも供給されるようになされている。
【００４６】
信号処理部２２は、復調／分離部２１からのオーディオ放送信号および文字情報に対して必要な信号処理を施し、出力部２３に供給するようになされている。出力部２３（出力手段）は、スピーカ２３Ａおよびモニタ２３Ｂを有しており、オーディオ放送信号としての音声や曲は、スピーカ２３Ａから出力され、文字情報としての文字や図形はモニタ２３Ｂに表示されるようになされている。なお、信号処理部２２は、文字情報が、通常の文字多重放送すべき情報である場合のみ、出力部２３に供給し、文字情報が、識別情報である場合には、出力部２３に供給しないようになされている。
【００４７】
一方、情報処理部３２は、Ｉ／Ｆ部２４、通信部２５、ＣＰＵ２６、メモリ２７、記録部２８、記録媒体２９、および操作部３０で構成されている。
【００４８】
Ｉ／Ｆ部２４は、チューナ部３１の復調／分離部２１から供給される文字情報を受信し、それが識別情報である場合には、ＣＰＵ２６に供給するようになされている。通信部２５（識別情報送信手段）（関連データ受信手段）（情報送信手段）は、ＣＰＵ２６と広域ネットワーク４との間の通信制御を行うようになされている。ＣＰＵ２６は、操作部３０の操作などに対応して、各種の処理を行うようになされている。メモリ２７は、ＣＰＵ２６の動作上必要なデータを記憶するようになされている。記録部２８（記録手段）は、記録媒体２９に対するデータの書き込みを制御するようになされている。記録媒体２９は、例えば、光磁気ディスクや、磁気ディスク、メモリカードその他の読み書き可能な記録媒体（記憶媒体）で、記録部２８から供給されるデータを記憶（記録）するようになされている。なお、記録媒体２９は、例えば、情報処理部３２に対して着脱可能になされている。
【００４９】
操作部３０は、例えば、キーボード３０Ａおよびセレクトボタン３０Ｂで構成されている。キーボード３０Ａは、所定の情報やコマンドなどを入力する場合に操作される。セレクトボタン３０Ｂ（操作手段）は、スピーカ２３Ａから出力された曲を要求するときに操作される。
【００５０】
以上のように構成される受信装置３においては、復調／分離部２１において、放送局１から送信されてくる電波が受信され、その受信信号のうちの所定のチャンネルの多重化信号が復調される。さらに、復調／分離部２１は、その復調信号から、オーディオ放送信号と文字情報とを分離し、オーディオ放送信号を信号処理部２２に出力するとともに、文字情報を信号処理部２２およびＩ／Ｆ部２４に出力する。
【００５１】
信号処理部２２では、復調／分離部２１からのオーディオ放送信号に必要な信号処理が施され、出力部２３に供給される。これにより、出力部２３のスピーカ２３Ａからは、オーディオ放送信号としての音声や曲が出力される。また、信号処理部２２では、復調／分離部２１からの文字情報が、識別情報でない場合には、やはり必要な信号処理が施され、出力部２３に供給される。これにより、出力部２３Ａのモニタ２３Ｂには、文字情報が表示される。
【００５２】
一方、Ｉ／Ｆ部２４は、復調／分離部２１からの文字情報が識別情報である場合、その識別情報を、ＣＰＵ２６に供給する。
【００５３】
ＣＰＵ２６では、図６のフローチャートにしたがった処理が行われる。
【００５４】
即ち、まず最初に、ステップＳ１１において、セレクトボタン３０Ｂが操作されたか否かが判定され、操作されていないと判定された場合、ステップＳ１１に戻る。また、ステップＳ１１において、セレクトボタン３０Ｂが操作されたと判定された場合、ステップＳ１２に進み、ＣＰＵ２６は、そのときＩ／Ｆ部２４から供給された識別情報に対応するオーディオデータ、即ち、セレクトボタン３０Ｂが操作されたときに、スピーカ２３Ａから出力されていた曲のオーディオデータを要求するリクエスト情報が生成される。
【００５５】
具体的には、リクエスト情報には、オーディオデータを要求する旨、そのオーディオデータを識別するための識別情報（Ｉ／Ｆ部２４から供給されたもの）、そのオーディオデータに対する対価（料金）を支払うための銀行口座あるいはクレジットカードの番号などが含められる。なお、リクエスト情報に含める銀行口座あるいはクレジットカードの番号は、例えば、ユーザがセレクトボタン３０Ｂを操作するたびに、キーボード３０Ａを操作して入力しても良いし、また、あらかじめキーボード３０Ａを操作して入力したものをメモリ２７に記憶させておき、このメモリ２７に記憶させたものを用いるようにしても良い。
【００５６】
ＣＰＵ２６は、リクエスト情報の生成後、ステップＳ１３に進み、通信部２５を制御して、リクエスト情報を、広域ネットワーク４を介して放送局１に送信させる。
【００５７】
即ち、例えば、識別情報には、オーディオ放送信号を放送している放送局へのアクセス先も含まれており、通信部２５は、ＣＰＵ２６の制御にしたがい、そのアクセス先（ここでは、放送局１）との間の通信リンクを、広域ネットワーク４を介して確立する。そして、通信部２５は、リクエスト情報を、広域ネットワーク４を介して、そのアクセス先、即ち、放送局１に送信する。
【００５８】
以上のようにして放送局１にリクエスト情報が送信されると、図２で説明したように、放送局１においては、そのリクエスト情報に対応するオーディオデータ、即ち、そのリクエスト情報に含まれる識別情報に対応するオーディオデータが検索され、送信される。
【００５９】
そこで、ＣＰＵ２６においては、リクエスト情報の送信後、ステップＳ１４に進み、放送局１からオーディオデータが送信されてきたかどうかが判定される。ステップＳ１４において、放送局１からオーディオデータが送信されてきていないと判定された場合、ステップＳ１４に戻る。また、放送局１からオーディオデータが送信されてきたと判定された場合、ステップＳ１５に進み、ＣＰＵ２６は、そのオーディオデータを、通信部２５に受信させる。さらに、ＣＰＵ２６は、通信部２５において受信されたオーディオデータを、記録部２８に転送し、記録媒体２９に記録させる。そして、放送局１から送信されてくるオーディオデータすべてを受信、記録すると、処理を終了する。
【００６０】
従って、ユーザは、番組において放送された曲を所望するとき、その曲が放送されている間に、セレクトボタン３０Ｂを操作するだけで、その曲のオーディオデータを入手することができる。
【００６１】
また、本実施の形態においては、オーディオデータを、上述したようにディジタルデータとしたので、ラジオ放送として放送されてくるオーディオ放送信号そのものを録音する場合に比較して、音質の良い曲を得ることができる。
【００６２】
なお、放送局１において受信されるリクエスト情報には、上述したように、ユーザの銀行口座あるいはクレジットカードの番号が含まれる。放送局１では、リクエスト情報に対応してオーディオデータの送信後、そのリクエスト情報に含まれる銀行口座あるいはクレジットカードの番号に基づいて、料金が引き落としされる。
【００６３】
また、オーディオデータの提供に対する料金の一覧は、例えば、文字情報として、放送局１から送信するようにすることができる。この場合、ユーザは、モニタ２３Ｂに表示される文字情報としての料金の一覧を見ることで、オーディオデータの料金を知ることができる。
【００６４】
次に、図７は、本発明を適用したオーディオ提供システムの第２の実施の形態を示している。なお、図中、図１における場合と対応する部分については、同一の符号を付してある。
【００６５】
この実施の形態においては、放送局１から送信された電波は、伝送路２を介して、例えば自動車４１などにおいて移動している最中のユーザが有する受信装置４２において受信される。これにより、受信装置４２からは、放送局１が放送している番組が出力される。
【００６６】
ユーザは、受信装置４２から出力される番組を聴いて、その番組に用いられている曲を所望するとき、受信装置４２を所定操作する。すると、受信装置４２は、図１の受信装置３と同様に、広域ネットワーク４を介して、放送局１との通信リンクを確立し、リクエスト情報を送信する。但し、この場合、リクエスト情報には、上述した情報に加え、オーディオデータを送信すべき装置（ここでは、例えば、ユーザ宅に備えられている受信装置４３とする）を特定するための特定情報（例えば、広域ネットワーク４が公衆網である場合には、受信装置４３が接続されている回線の番号、また、広域ネットワーク４がインターネットであれば、受信装置４３のユーザの、いわゆるＥ−ｍａｉｌアドレスなど）が含められる。      
【００６７】
放送局１は、受信装置４２からリクエスト情報を受信すると、そのリクエスト情報に対応する曲としてのオーディオデータを、広域ネットワーク４を介して送信する。但し、この場合、放送局１は、オーディオデータを、リクエスト情報に含まれる特定情報によって特定される端末（情報処理装置）、即ち、ここでは、受信装置４３に送信する。
【００６８】
ユーザ宅にある受信装置４３では、放送局１から広域ネットワーク４を介して送信されてくるオーディオデータが受信されて記録される。
【００６９】
従って、ユーザは、自動車などによって移動中であっても、番組を聴いて、その番組に用いられている曲が気に入ったとき、受信装置４２を所定操作することで、その曲を、容易かつ即座に入手することができる。
【００７０】
図８のフローチャートは、図７の実施の形態における放送局１のサーバ１３の動作を示している。なお、この場合、放送局１の構成は、基本的に、図２に示したものと同様であるため、その説明は省略する。
【００７１】
この場合、ステップＳ２１，Ｓ２２においては、図４のステップＳ１，Ｓ２における場合とそれぞれ同様の処理が行われる。そして、ステップＳ２３において、通信部１２（図２）より、リクエスト情報を送信してきた受信装置４２ではなく、そのリクエスト情報に含まれる特定情報によって特定される受信装置４３（場所）に、広域ネットワーク４を介して、オーディオデータが送信され、処理を終了する。
【００７２】
次に、図９は、図７の受信装置４２の構成例を示している。なお、図中、図５における受信装置３と基本的に同様に構成される部分については、同一の符号を付してある。即ち、受信装置４２は、チューナ部３１および情報処理部３２（第１の情報処理装置）から構成され、従って、基本的には、図５における場合と同様に構成されている。但し、受信装置４２において、情報処理部３２は、記録部２８および記録媒体２８を設けずに構成されている。
【００７３】
この実施の形態において、チューナ部３１は、例えば、自動車４１に設置されている（自動車４１に備えられたものとされている）。そして、情報処理部３２は、例えば、携帯可能な小型のコンピュータ（情報処理装置）（端末）（Mobile Computer）で、図示せぬ接続端子を介して、チューナ部３１と接続可能になさ
れており、これにより、チューナ部３１の復調／分離部２１が出力する文字情報を、Ｉ／Ｆ部２４で受信することができるようになされている。
【００７４】
次に、その動作について、図１０のフローチャートを参照して説明する。
【００７５】
チューナ部３１においては、図５における場合と同様にして、オーディオ放送信号と文字情報とが出力される。
【００７６】
一方、情報処理部３２においては、ステップＳ３１，Ｓ３２において、図６のステップＳ１１，Ｓ１２における場合とそれぞれ同様の処理が行われ、これによりリクエスト情報が生成される。そして、ステップＳ３３に進み、ＣＰＵ２６は、リクエスト情報に、受信装置４３についての特定情報を含め、ステップＳ３４に進む。ステップＳ３４では、図６のステップＳ１３における場合と同様にして、リクエスト情報が、放送局１に送信され、その後、放送局１との回線が切断されて、処理を終了する。
【００７７】
なお、この場合、受信装置４２と広域ネットワーク４との間では、無線通信が行われることにより、リクエスト情報の送信が行われる。一方、第１の実施の形態においては、受信装置３と広域ネットワーク４との間では、基本的に、有線による通信が行われる。但し、第１の実施の形態においても、リクエスト情報の送信は、無線通信によって行うことが可能である。
【００７８】
以上のようにして、特定情報を含むリクエスト情報が放送局１に送信されると、図８で説明したように、放送局１は、リクエスト情報に含まれる特定情報によって特定される受信装置４３に、オーディオデータを送信する。
【００７９】
そこで、図１１は、図７の受信装置４３（第２の情報処理装置）の構成例を示している。なお、図中、図５における受信装置３と基本的に同様に構成される部分については、同一の符号を付してある。即ち、受信装置４３は、情報処理部３２だけから構成されている。但し、受信装置４３において、情報処理部３２は、Ｉ／Ｆ部２４および操作部３０を設けずに構成されている。
【００８０】
次に、その動作について、図１２のフローチャートを参照して説明する。
【００８１】
受信装置４３では、広域ネットワーク４を介して、放送局１からアクセスがあると、通信部２５において、放送局１（通信部１２）との通信リンクが確立される。そして、ステップＳ４１において、放送局１からオーディオデータが送信されてきたかどうかが判定される。ステップＳ４１において、放送局１からオーディオデータが送信されてきていないと判定された場合、ステップＳ４１に戻る。また、放送局１からオーディオデータが送信されてきたと判定された場合、ステップＳ４２に進み、ＣＰＵ２６は、そのオーディオデータを、通信部２５に受信させる。さらに、ＣＰＵ２６は、通信部２５において受信されたオーディオデータを、記録部２８に転送し、記録媒体２９に記録させる。そして、放送局１から送信されてくるオーディオデータすべてを受信、記録すると、処理を終了する。      
【００８２】
従って、ユーザは、自動車４１などによって移動中に放送された曲を聴いた場合であっても、その曲が放送されている間に、セレクトボタン３０Ｂを操作するだけで、その曲のオーディオデータを入手することができる。
【００８３】
なお、この場合、オーディオデータを、ユーザ宅に設置してある受信装置４３で受信して記録するようにしたが、受信装置４３を、記録部２８および記録媒体２９を設けて構成し、受信装置４３において、オーディオデータを受信、記録するようにすることも可能である。
【００８４】
以上、本発明を、ラジオ放送の番組で用いられた曲を提供するオーディオ提供システムに適用した場合について説明したが、本発明は、その他、テレビジョン放送の番組で用いられた映像や曲としてのビデオデータやオーディオデータを提供する場合にも提供可能である。この場合も、識別情報は、例えば、文字多重放送により送信することができる。即ち、この場合、識別情報は、例えば、図１３に示すように、テレビジョン放送信号の垂直ブランキング期間に重畳して送信することが可能である。
【００８５】
ここで、図１３は、ＮＴＳＣ方式に準拠したテレビジョン放送による映像信号の垂直ブランキング期間の波形を表している。なお、図１３（Ａ）または図１３（Ｂ）は、それぞれ奇数フィールドまたは偶数フィールドの垂直ブランキング期間を表している。
【００８６】
文字情報（識別情報）（図１３では、文字信号と記述してある）は、垂直ブランキング期間（垂直帰線消去期間）のうち、等価パルスの存在しない第１０Ｈ（ライン）乃至第２１Ｈ、および第２７３Ｈ乃至２８４Ｈに重畳することが、原理的には可能であるが、現在は、映像信号の表示画面への影響などを考慮して、第１６Ｈおよび第２１Ｈ、並びに第２７９Ｈおよび第２８４Ｈに文字情報を重畳することにより、テレビジョン放送では、文字多重放送が行われている。
【００８７】
なお、本実施の形態においては、放送局１からオーディオデータを識別するための識別情報を、オーディオ放送信号とともに送信するようにしたが、識別情報は、必ずしも、放送局１から送信する必要はない。
【００８８】
即ち、識別情報として、例えば、時刻を用いるようにし、セレクトボタン３０Ｂが操作されたときの時刻（以下、操作時刻という）を、識別情報として、リクエスト情報に含めて放送局１に送信するようにする。さらに、放送局１では、番組に用いられた曲としてのオーディオデータを、その放送時間と関係付けて記録媒体１６（図２）に記録しておくようにする。このようにした場合、放送局１において、リクエスト情報に含められた識別情報としての操作時刻を含む放送時間と関係付けられたオーディオデータを検索し、これを送信するようにすることで、ユーザは、所望するオーディオデータを得ることができる。
【００８９】
また、サーバ１３は、インターネットを構成する、ドメイン名を有するサーバとすることができる。この場合、オーディオデータを、例えば、ＷＷＷ（World Wide Web）システムにおけるＵＲＬ（Uniform Resource Locator）と対応付けておき、これを識別情報として用いることで、例えば、衛星放送などの番組に用いられた曲を、低額の通信料金で得ることが可能となる。
【００９０】
さらに、本実施の形態においては、放送局１に、オーディオデータを提供するサーバ１３を含めるようにしたが、サーバ１３は、放送局１とは独立に設けるようにすることも可能である。但し、この場合、放送局１とサーバ１３との間でよやりとりを行い、放送局１で放送される曲のオーディオデータを、記録媒体１６に記録させておくようにする必要がある。
【００９１】
また、受信装置３（受信装置４２についても同様）には、識別情報を受信した場合に、その旨を、モニタ２３Ｂに表示させるようにすることができる。この場合、ユーザは、番組に用いられている曲が、入手可能かどうか知ることができる。
【図面の簡単な説明】
【００９２】
【図１】本発明を適用したオーディオ提供システムの第１の実施の形態の構成を示す図である。
【図２】図１の放送局１の構成例を示すブロック図である。
【図３】ＦＭ多重放送による信号を示す図である。
【図４】図２のサーバ１３の動作を説明するためのフローチャートである。
【図５】図１の受信装置３の構成例を示すブロック図である。
【図６】図６の情報処理部３２の動作を説明するためのフローチャートである。
【図７】本発明を適用したオーディオ提供システムの第２の実施の形態の構成を示す図である。
【図８】図７の放送局１の動作を説明するためのフローチャートである。
【図９】図７の受信装置４２の構成例を示すブロック図である。
【図１０】図９の情報処理部３２の動作を説明するためのフローチャートである。
【図１１】図７の受信装置４３の構成例を示すブロック図である。
【図１２】図１１の情報処理部３２の動作を説明するためのフローチャートである。
【図１３】テレビジョン放送信号の垂直ブランキング期間を示す波形図である。
【符号の説明】
【００９３】
１  放送局，  ２  伝送路，  ３  受信装置，  ４  広域ネットワーク，  １１  ＦＭ多重変調部，  １２  通信部，  １３  サーバ，  １４  ＣＰＵ，  １５  メモリ，  １６  記録媒体，  ２１  復調／分離部，  ２２  信号処理部，  ２３  出力部，  ２３Ａ  スピーカ，  ２３Ｂ  モニタ，  ２４  Ｉ／Ｆ部，  ２５  通信部，  ２６  ＣＰＵ，  ２７  メモリ，  ２８  記録部，  ２９  記録媒体，  ３０  操作部，  ３０Ａ  キーボード，  ３０Ｂ  セレクトボタン，  ３１  チューナ部，  ３２  情報処理部，  ４１  自動車，  ４２，４３  受信装置
【図１】
2006197627.tif 000003
【図２】
2006197627.tif 000004
【図３】
2006197627.tif 000005
【図４】
2006197627.tif 000006
【図５】
2006197627.tif 000007
【図６】
2006197627.tif 000008
【図７】
2006197627.tif 000009
【図８】
2006197627.tif 000010
【図９】
2006197627.tif 000011
【図１０】
2006197627.tif 000012
【図１１】
2006197627.tif 000013
【図１２】
2006197627.tif 000014
【図１３】
2006197627.tif 000015